(57)【要約】【課題】電源オン時のウォーミングアップ時間の短縮と省エネルギーの両立、あるいは、用途に応じて何れか一方を選択できるようにする。【解決手段】主電源スイッチ２１がオンされると、主電源装置２２を介して、ＤＣ電源が制御ボード２３に供給される。制御ボード２３は、第１リレー２４と第２リレー２６をオンし、補助電源２５が第２加熱ヒータ１６に給電し、ＡＣ制御部２７が第１加熱ヒータ１７に給電する。定着ローラ１５の表面温度をサーミスタ２８で検出し、所定の温度に達すると、第２加熱ヒータ１６への電力供給が遮断され、第１加熱ヒータ１７のオン／オフ制御だけで定着ローラの温度が維持される。主電源スイッチ２１のオフ後は、補助電源の充電量を制御ボード２３で検出し、充電処理が終了した時点で第１リレーをオフする。【選択図】      図２
2004287002.tif 000002
【特許請求の範囲】
【請求項１】
記録紙に転写されたトナー像を熱と圧力とによって定着処理する定着処理手段と、
前記定着処理手段は、主電源から給電される第１加熱ヒータと、充電可能な補助電源から給電される第２加熱ヒータとを少なくとも有し、
前記定着処理手段の温度を検出する温度検出手段と、
前記補助電源から第２加熱ヒータへの給電のオン／オフを切り替える第２切替スイッチと、
前記補助電源に対して充電処理を行う充電手段と、
装置全体に対する給電のオン／オフを切り替える主電源スイッチと、
前記主電源スイッチがオフされても自らをオフしない限り装置全体への給電を継続する第１切替スイッチと、
装置全体の動作を統括制御する制御手段と、
前記補助電源の充電量を検出する充電量検出手段と、を備え、
前記制御手段は、前記定着処理手段のヒータ点灯開始時に、第１加熱ヒータと第２加熱ヒータへ給電し、前記温度検出手段が所定温度に到達したことを検出すると、前記第２切替スイッチをオフして第１加熱ヒータだけで定着処理を行い、前記主電源スイッチがオフされた場合、前記充電手段と前記充電量検出手段によって前記補助電源の充電容量が所定の値になるまで充電処理を行い、充電終了後に前記第１切替スイッチをオフすることを特徴とする画像形成装置。
【請求項２】
前記主電源スイッチがオフされた場合に、前記第１切替スイッチも直ちにオフするか、前記充電手段と前記充電量検出手段によって前記補助電源の充電容量が所定の値になるまで充電処理を行ってから、前記第１切替スイッチをオフするかを選択する選択手段を備えたことを特徴とする請求項１に記載の画像形成装置。
【請求項３】
記録紙に転写されたトナー像を熱と圧力とによって定着処理する定着処理手段と、
前記定着処理手段は、主電源から給電される第１加熱ヒータと、充電可能な補助電源から給電される第２加熱ヒータとを少なくとも有し、
前記定着処理手段の温度を検出する温度検出手段と、
前記補助電源から第２加熱ヒータへの給電のオン／オフを切り替える第２切替スイッチと、
前記補助電源に対して充電処理を行う充電手段と、
装置全体に対する給電のオン／オフを切り替える主電源スイッチと、
前記主電源スイッチがオフされても前記補助電源の充電量を監視すると共に、前記充電手段を制御する監視制御手段と、
前記主電源スイッチがオフされても自らをオフしない限り前記充電手段、前記監視手段、および前記補助電源に対して給電を継続する第１切替スイッチと、
装置全体の動作を統括制御する制御手段と、
を備え、
前記制御手段は、前記定着処理手段のヒータ点灯開始時に、第１加熱ヒータと第２加熱ヒータへ給電し、前記温度検出手段が所定温度に到達したことを検知すると、前記第２切替スイッチをオフして第１加熱ヒータだけで定着処理を行い、前記主電源スイッチがオフされた場合、前記監視制御手段は、前記補助電源の充電量を監視すると共に、前記充電手段を制御して、常に前記補助電源の充電容量が所定の値になるまで充電処理を行うことを特徴とする画像形成装置。
【請求項４】
前記主電源スイッチがオフされた場合に、前記第１切替スイッチも直ちにオフするか、前記監視制御手段が補助電源の充電量を監視すると共に、前記充電手段を制御して、前記補助電源の充電容量が所定の値になるまで充電処理を行ってから、前記第１切替スイッチをオフするかを選択する選択手段を備えたことを特徴とする請求項３に記載の画像形成装置。
【発明の詳細な説明】
【０００１】
【発明の属する技術分野】
本発明は、画像形成装置に関し、より詳しくは、記録紙に転写されたトナー像を定着処理する定着処理手段を備えた画像形成装置における電力供給制御技術に関する。
【０００２】
【従来の技術】
従来の画像形成装置では、記録紙にトナー像を定着させるのに熱定着手段が用いられている。一般に熱定着手段は、定着ローラと加圧ローラとからなり、定着ローラにはヒータが内蔵されていて、そのヒータに通電することによりヒータが発熱して、定着ローラを温めるようになっている。そして、一定の温度に温めた定着ローラに圧接配置された加圧ローラとの間に、トナー像が形成された記録紙を通紙することで、定着ローラの熱と加圧ローラの圧力とでトナーを溶かし、圧力で記録紙上にトナー像を定着させていた。
【０００３】
近年では高速の画像形成装置が出現してきているが、高速で画像形成処理を行うと定着ローラの熱が記録紙に持って行かれるため、熱容量の大きな定着ローラを使用する必要があった。ところが、定着ローラの熱容量を大きくするとヒータを温めても、定着ローラの温度がなかなか上がらないため、ヒータに供給する電力を大きくすることが必要になってくる。しかし、画像形成装置に与えられている電力には限りがあるので、ヒータ立ち上げ時にその与えられた電力に加えて、電気二重層コンデンサ等の補助電源を利用してヒータの立ち上がり時間を早くすることが提案されている（例えば、特許文献１および２参照）。
【０００４】
【特許文献１】
特開平５−２４１３８７号公報
【特許文献２】
特開２００２−１８４５５４号公報
【０００５】
【発明が解決しようとする課題】
しかしながら、このような従来の画像形成装置にあっては、主電源をオフにした時に、充電可能な補助電源がフル充電状態になかった場合、その後で主電源をオンした時に定着ローラのヒータに対して十分な給電ができず、定着ローラを所定の時間で規定の温度に立ち上げることができないことから、電源投入後のウォーミングアップ時間が長くなってしまうという問題があった。
【０００６】
この発明は上記に鑑みてなされたもので、電源オン時のウォーミングアップ時間の短縮化と省エネルギー化の両立を図ったり、用途に応じて何れか一方をユーザが選択できるようにして、より高い効果が得られるようにした画像形成装置を提供することを目的とする。
【０００７】
【課題を解決するための手段】
上記目的を達成するため、請求項１にかかる発明は、記録紙に転写されたトナー像を熱と圧力とによって定着処理する定着処理手段と、前記定着処理手段は、主電源から給電される第１加熱ヒータと、充電可能な補助電源から給電される第２加熱ヒータとを少なくとも有し、前記定着処理手段の温度を検出する温度検出手段と、前記補助電源から第２加熱ヒータへの給電のオン／オフを切り替える第２切替スイッチと、前記補助電源に対して充電処理を行う充電手段と、装置全体に対する給電のオン／オフを切り替える主電源スイッチと、前記主電源スイッチがオフされても自らをオフしない限り装置全体への給電を継続する第１切替スイッチと、装置全体の動作を統括制御する制御手段と、前記補助電源の充電量を検出する充電量検出手段と、を備え、前記制御手段は、前記定着処理手段のヒータ点灯開始時に、第１加熱ヒータと第２加熱ヒータへ給電し、前記温度検出手段が所定温度に到達したことを検出すると、前記第２切替スイッチをオフして第１加熱ヒータだけで定着処理を行い、前記主電源スイッチがオフされた場合、前記充電手段と前記充電量検出手段によって前記補助電源の充電容量が所定の値になるまで充電処理を行い、充電終了後に前記第１切替スイッチをオフすることを特徴とする。
【０００８】
この請求項１の発明によれば、制御手段によって定着処理手段のヒータ点灯開始時に、第１加熱ヒータと第２加熱ヒータへ給電し、温度検出手段が所定温度に到達したことを検出すると、第２切替スイッチをオフして第１加熱ヒータだけで定着処理を行い、主電源スイッチがオフされた場合は、充電手段と充電量検出手段によって補助電源の充電容量が所定の値になるまで充電処理を行って、充電終了後に第１切替スイッチをオフするようにしたため、電源オン時におけるウォーミングアップ時間を短縮化しつつ、省エネルギー化が図れる。
【０００９】
また、請求項２にかかる発明は、請求項１に記載の画像形成装置において、前記主電源スイッチがオフされた場合に、前記第１切替スイッチも直ちにオフするか、前記充電手段と前記充電量検出手段によって前記補助電源の充電容量が所定の値になるまで充電処理を行ってから、前記第１切替スイッチをオフするかを選択する選択手段を備えたことを特徴とする。
【００１０】
この請求項２の発明によれば、主電源スイッチがオフされた場合に、選択手段によって第１切替スイッチを直ちにオフするか、充電手段と充電量検出手段によって補助電源の充電容量が所定の値になるまで充電処理を行ってから、第１切替スイッチをオフするかを選択することができるため、ウォーミングアップ時間の短縮化を優先するか、省エネルギー化を優先するかをユーザの用途に応じて選択することができる。
【００１１】
また、請求項３にかかる発明は、記録紙に転写されたトナー像を熱と圧力とによって定着処理する定着処理手段と、前記定着処理手段は、主電源から給電される第１加熱ヒータと、充電可能な補助電源から給電される第２加熱ヒータとを少なくとも有し、前記定着処理手段の温度を検出する温度検出手段と、前記補助電源から第２加熱ヒータへの給電のオン／オフを切り替える第２切替スイッチと、前記補助電源に対して充電処理を行う充電手段と、装置全体に対する給電のオン／オフを切り替える主電源スイッチと、前記主電源スイッチがオフされても前記補助電源の充電量を監視すると共に、前記充電手段を制御する監視制御手段と、前記主電源スイッチがオフされても自らをオフしない限り前記充電手段、前記監視手段、および前記補助電源に対して給電を継続する第１切替スイッチと、装置全体の動作を統括制御する制御手段と、を備え、前記制御手段は、前記定着処理手段のヒータ点灯開始時に、第１加熱ヒータと第２加熱ヒータへ給電し、前記温度検出手段が所定温度に到達したことを検知すると、前記第２切替スイッチをオフして第１加熱ヒータだけで定着処理を行い、前記主電源スイッチがオフされた場合、前記監視制御手段は、前記補助電源の充電量を監視すると共に、前記充電手段を制御して、常に前記補助電源の充電容量が所定の値になるまで充電処理を行うことを特徴とする。
【００１２】
この請求項３の発明によれば、制御手段によって定着処理手段のヒータ点灯開始時に、第１加熱ヒータと第２加熱ヒータへ給電し、温度検出手段が所定温度に到達したことを検知すると、第２切替スイッチをオフにして第１加熱ヒータだけで定着処理を行い、主電源スイッチがオフされた場合は、監視制御手段が補助電源の充電量を監視すると共に、充電手段を制御して、常に補助電源の充電容量が所定の値になるまで充電処理を行うようにしたため、長時間電源オフの状態が続いたとしても、電源オン時には常に所定のウォーミングアップ時間で画像形成装置を立ち上げることができる。
【００１３】
また、請求項４にかかる発明は、請求項３に記載の画像形成装置において、前記主電源スイッチがオフされた場合に、前記第１切替スイッチも直ちにオフするか、前記監視制御手段が補助電源の充電量を監視すると共に、前記充電手段を制御して、前記補助電源の充電容量が所定の値になるまで充電処理を行ってから、前記第１切替スイッチをオフするかを選択する選択手段を備えたことを特徴とする。
【００１４】
この請求項４の発明によれば、主電源スイッチがオフされた場合に、選択手段によって第１切替スイッチを直ちにオフするか、監視制御手段が補助電源の充電量を監視すると共に、充電手段を制御し、補助電源の充電容量が所定の値になるまで充電処理を行ってから、第１切替スイッチをオフするかを選択することができるため、長時間電源オフの状態が続いたとしても、常に所定のウォーミングアップ時間で立ち上げるか、省エネルギー化を重視するかを用途に応じてユーザが選択することができる。
【００１５】
【発明の実施の形態】
以下に添付図面を参照して、この発明にかかる画像形成装置の好適な実施の形態を詳細に説明する。
【００１６】
本実施の形態にかかる画像形成装置は、電子写真技術を用いたプリンタとして実施したが、電子写真技術による定着装置が内蔵された複写機、ファクシミリ、あるいは、これら全ての機能を兼備した複合機などでも同様に実施することが可能である。
【００１７】
図１は、本実施の形態にかかる画像形成装置の断面構成図である。図１に示す画像形成装置１０は、大きさの異なるカットシートがそれぞれ収納された給紙トレイ１１、１２からプリントするサイズの用紙を選択的に取り込んで、感光体ドラム１３の表面に形成されたトナー像を用紙に転写し、これを定着部１４で定着させる。用紙が定着ローラ１５と加圧ローラ１８との間を通紙する間に、熱と圧力とによってトナーが溶けて、圧力により用紙に定着する。本実施の形態の定着ローラ１５には、主電源から給電されて発熱する第１加熱ヒータ１７と、補助電源から給電されて発熱する第２加熱ヒータ１６とが内蔵されている。そして、トナー像が定着処理された記録紙は、矢印Ａ方向へ排出される。
【００１８】
（実施の形態１）
図２は、実施の形態１にかかる画像形成装置の概略構成を説明するブロック図であり、図３は、実施の形態１にかかる立ち上げ時から動作が終了するまでのフローチャートであり、図４は、主電源オフ時の制御を説明するフローチャートであり、図５は、主電源オフ時にユーザの選択に基づいて制御を行う場合のフローチャートである。
【００１９】
図２に示す画像形成装置１０は、主電源スイッチ２１、主電源装置２２、制御手段としての制御ボード２３、第１切替スイッチとしての第１リレー２４、補助電源２５、第２切替スイッチとしての第２リレー２６、ＡＣ制御部２７、温度検出手段としてのサーミスタ２８、充電手段としての充電回路２９、および、選択手段としての操作パネル３０などで構成されている。
【００２０】
まず、商用電源であるＡＣ電源ライン２０から電力が供給される。画像形成装置１０の内部への電源供給は、主電源スイッチ２１によって供給／遮断（オン／オフ）が行われる。この主電源スイッチ２１がオンされると（ステップＳ３１）、主電源装置２２にＡＣ電源が供給され、ここでＤＣ電源に変換されて、制御ボード２３にＤＣ電源が供給される。この制御ボード２３は、画像形成装置１０全体を統括制御するもので、ＣＰＵが内蔵されている。画像形成装置１０を制御する制御ボード２３に電源が供給されると、画像形成装置１０が動作を開始して、制御ボード２３のＣＰＵによって第１リレー２４をオンさせる。また、制御ボード２３が動作すると制御ボード２３のＣＰＵによって、第２リレー２６をオンさせる（ステップＳ３２）。これにより、電気二重層コンデンサを用いた補助電源２５から第２加熱ヒータ１６に対して通電される。
【００２１】
さらに、第１加熱ヒータ１７に対しては、第１リレー２４、あるいは、主電源スイッチ２１を介してＡＣ制御部２７に供給されたＡＣ電源が第１加熱ヒータ１７に通電される。これにより、定着ローラ１５は、急速に加熱される。また、定着ローラ１５には、温度検出手段としてのサーミスタ２８が設けられていて、表面温度を検出し、これを電圧に変換して制御ボード２３内のＣＰＵのアナログポートに送られることにより、温度として検出される（ステップＳ３３）。定着ローラ１５の表面温度が所定の温度に達すると、制御ボード２３の制御によってＡＣ制御部２７から第１加熱ヒータ１７への電力供給が遮断される。さらに、制御ボード２３のＣＰＵは、第２リレー２６をオフして、第２加熱ヒータ１６への電力供給が遮断される（ステップＳ３４）。
【００２２】
その後の定着ローラ１５の温度制御は、サーミスタ２８によって定着ローラ１５の表面温度を常時検出し、所定の温度以下になると（ステップＳ３５）、ＡＣ制御部２７から第１加熱ヒータ１７へ電力が供給され（ステップＳ３６）、定着ローラ１５を再度加熱する。そして、所定の温度に達すると（ステップＳ３７）、再び第１加熱ヒーター１７への電力の供給を停止する（ステップＳ３８）。このように、最初の立ち上げ時の場合のみ、補助電源２５による第２加熱ヒータ１６を併用することで、ウォーミングアップ時間を短縮することができ、一旦所定温度まで加熱された定着ローラの温度維持は、主電源から給電される第１加熱ヒータ１７のオン／オフ動作だけで制御している。
【００２３】
また、図４に示すように、補助電源２５に用いられている電気二重層コンデンサは、立ち上げ時に第２加熱ヒータ１６８に対して電力を供給しているため、供給能力が低下している。この供給能力がどの程度低下しているかは、補助電源２５からの電圧を制御ボード２３のＣＰＵのアナログポートで検出することで容易に判断することができる（ステップＳ４１）。
【００２４】
この制御ボード２３によって、補助電源２５が所定の電圧以下であることがわかれば（ステップＳ４２）、充電回路２９を用いて充電が開始される（ステップＳ４４）。この充電回路２９による充電処理動作は、補助電源２５の電圧が、所定の電圧以上になった時点で充電を停止する。この充電処理動作は、画像形成装置１０を使用しなくなり、主電源スイッチ２１がオフされた時であっても、同様に電気二重層コンデンサに充電することができる。その理由は、第１リレー２４が主電源スイッチ２１をまたいで配置されているため、ＡＣ電源ライン２０からのＡＣ電源供給を、主電源スイッチ２１がオフされた後でも主電源装置２２に供給し続けていることから、制御ボード２３による制御が可能だからである。
【００２５】
しかし、主電源スイッチ２１がオフになった後に充電処理動作を繰り返し行うと、無駄なエネルギー消費が増大するため、本実施の形態１では、補助電源２５の電圧が所定の電圧以上になった時点で充電を停止し、さらに制御ボード２３によって第１リレー２４をオフするように制御する（ステップＳ４３）。
【００２６】
これにより、次回の立ち上げ時における補助電源２５は、常に充電された状態で使用できるため、主電源スイッチ２１をオンにして画像形成装置１０を立ち上げる際のウオーミングアップ時間を短縮することができると共に、省エネルギー化を図ることができる。
【００２７】
また、本実施の形態１では、図５のフローチャートに示すように、主電源スイッチ２１をオフした時の制御として、図２の操作パネル３０上に、主電源スイッチ２１をオフにした時の制御内容として、省エネルギーの方を選択するか、省エネルギーの方を選択せずに、ウオーミングアップ時間の短縮を常に最速とするかの表示を制御ボード２３のＣＰＵから表示制御を行い、ユーザがその選択結果を指示するためのスイッチを操作パネル３０上に設けてある。ユーザは、用途に応じて何れかを選択することができる。例えば、主電源スイッチ２１がオフされた時に、省エネルギーを選択すると（ステップＳ５１）、制御ボード２３が第１リレー２４が直ちにオフされ（ステップＳ５４）、補助電源２５の充電に要するエネルギーを省くことができる。この場合は、次回立ち上げ時のウォーミングアップ時間が長くなるが、立ち上げ時間を気にしなければ、これで十分である。
【００２８】
逆に、ステップＳ５１で省エネルギーの方を選択しなかった場合は、上記処理と同様に補助電源２５の充電量を検出し（ステップＳ５２）、充電量が不足している場合のみ充電回路から充電処理が行われ（ステップＳ５５）、満充電状態になると、制御ボード２３のＣＰＵによって第１リレー２４がオフされる（ステップＳ５４）。
【００２９】
これにより、主電源スイッチ２１がオフされた場合に、操作パネル３０などを使って、第１リレー２４を直ちにオフするか、補助電源２５の充電容量が所定の値になるまで充電処理を行ってから、第１リレー２４をオフにするかを選択することができるため、ユーザは、ウォーミングアップ時間の短縮化を優先するか、省エネルギー化を優先するかを用途に応じて選択することができる。
【００３０】
（実施の形態２）
図６は、実施の形態２にかかる画像形成装置の概略構成を説明するブロック図であり、図７は、実施の形態２にかかる立ち上げ時から補助電源の充電処理までのフローチャートであり、図８は、図７の補助電源の充電処理のサブルーチンを示すフローチャートであり、図９は、主電源オフ時にユーザの選択に基づいて制御を行う場合のフローチャートである。なお、図７において、主電源スイッチ２１がオンされてから画像形成装置の動作が終了するまでのステップＳ７１〜Ｓ７９については、上記実施の形態１の図３のステップＳ３１〜Ｓ３９までと同じである。
【００３１】
本実施の形態２における画像形成装置の特徴は、図６に示すように、第１リレー２４のＡＣ電源ライン２０と反対側の端子が、図２に示す主電源装置２２ではなく、充電回路２９に直接接続されている。このため、主電源スイッチ２１をオフにすると（ステップＳ８０）、主電源装置２２にＡＣ電源が供給されなくなり、制御ボード２３による制御ができなくなる。しかし、本実施の形態２では、制御ボード２３に代わる制御部として監視装置３１を別個に設け、補助電源２５の充電容量を監視すると共に、充電回路２９を制御して補助電源２５を継続的に充電することができる（ステップＳ８１および図８）。主電源スイッチ２１のオフ後は、第１リレー２４を介して、充電動作に必要な充電回路２９と補助電源２５と監視装置３１にだけＡＣ電源を供給するため、無駄なエネルギー消費をできるだけ抑えている。この実施の形態２の構成は、長期間にわたって画像形成装置をしない場合、すなわち、主電源スイッチ２１がオフの状態が続くような場合は、上記実施の形態１のように、補助電源２５を満充電状態にして第１リレー２４をオフにしても、自然放電等によって充電量が減少するため、最後の充電動作があまり意味を持たなくなる。
【００３２】
この点、本実施の形態２の画像形成装置であれば、主電源スイッチ２１がオフされた後でも、監視装置３１によって補助電源２５の充電量の監視が継続して行われ、所定の電圧以下となった場合は、充電回路２９によって充電が行なわれる。ここでは、主電源スイッチ２１がオンされると、制御ボード２３までのラインが”Ｈ”レベルとなり、オフされると”Ｌ”レベルとなることを利用し、ラインが”Ｌ”レベル（電源ＯＦＦ時）になると、これをトリガーとして充電回路２９により補助電源２５への充電が開始される。電気二重層コンデンサから成る補助電源２５の電圧が所定の電圧になると充電を停止するように制御される。そして、常に補助電源２５の充電量状態を監視装置３１で監視することにより、画像形成装置を長期間使用しない場合であっても、補助電源２５は常に満充電状態を維持し続けることができる。
【００３３】
また、本実施の形態２では、図９のフローチャートに示すように、主電源スイッチ２１をオフした時の制御として、省エネルギーの方を選択するか、ウオーミングアップ時間の短縮の方を選択するかをユーザ側から選べるようにしている。
ユーザは、用途に応じて何れかを選択することができる。例えば、主電源スイッチ２１がオフされ、省エネルギーを選択すると（ステップＳ９１）、監視装置３１が第１リレー２４を直ちにオフすることにより（ステップＳ９４）、補助電源２５の充電に要するエネルギーを省くことができる。この場合は、次回立ち上げ時のウォーミングアップ時間が長くなるが、立ち上げ時間の気にならない用途で使用する場合はこれで十分である。逆に、ステップＳ９１で省エネルギーの方を選択しなかった場合は、監視装置３１が補助電源２５の充電量を検出して（ステップＳ９２）、充電量が不足している場合のみ（ステップＳ９３）、充電回路２９から充電処理が行われ（ステップＳ９５）、満充電状態になると、監視装置３４によって第１リレー２４をオフするようにしても良い（ステップＳ９４）。
【００３４】
このように、本実施の形態２によれば、画像形成装置の動作終了後、長時間電源オフの状態が続いたとしても、補助電源が継続的に充電されているため、電源オン時には常に所定のウォーミングアップ時間で画像形成装置を立ち上げることができる。
【００３５】
また、本実施の形態２によれば、画像形成装置の動作終了後、長時間電源オフの状態が続いたとしても、常に所定のウォーミングアップ時間で立ち上げるか、省エネルギー化を重視するかをユーザ側で選択できるので、用途に応じて適切に選択することができる。
【００３６】
【発明の効果】
以上説明したように、請求項１にかかる発明によれば、制御手段によって定着処理手段のヒータ点灯開始時に、第１加熱ヒータと第２加熱ヒータへ給電し、温度検出手段が所定温度に到達したことを検出すると、第２切替スイッチをオフして第１加熱ヒータだけで定着処理を行い、主電源スイッチがオフされた場合は、充電手段と充電量検出手段によって補助電源の充電容量が所定の値になるまで充電処理を行って、充電終了後に第１切替スイッチをオフするようにしたので、電源オン時におけるウォーミングアップ時間を短縮化しつつ、省エネルギー化が図れる。
【００３７】
また、請求項２にかかる発明によれば、主電源スイッチがオフされた場合に、選択手段によって第１切替スイッチを直ちにオフするか、充電手段と充電量検出手段によって補助電源の充電容量が所定の値になるまで充電処理を行ってから、第１切替スイッチをオフするかを選択することができるので、ウォーミングアップ時間の短縮化を優先するか、省エネルギー化を優先するかをユーザの用途に応じて選択することができる。
【００３８】
また、請求項３にかかる発明によれば、制御手段によって定着処理手段のヒータ点灯開始時に、第１加熱ヒータと第２加熱ヒータへ給電し、温度検出手段が所定温度に到達したことを検知すると、第２切替スイッチをオフにして第１加熱ヒータだけで定着処理を行い、主電源スイッチがオフされた場合は、監視制御手段が補助電源の充電量を監視すると共に、充電手段を制御して、常に補助電源の充電容量が所定の値になるまで充電処理を行うようにしたので、長時間電源オフの状態が続いたとしても、電源オン時には常に所定のウォーミングアップ時間で画像形成装置を立ち上げることができる。
【００３９】
また、請求項４にかかる発明によれば、主電源スイッチがオフされた場合に、選択手段によって第１切替スイッチを直ちにオフするか、監視制御手段が補助電源の充電量を監視すると共に、充電手段を制御し、補助電源の充電容量が所定の値になるまで充電処理を行ってから、第１切替スイッチをオフするかを選択することができるので、長時間電源オフの状態が続いたとしても、常に所定のウォーミングアップ時間で立ち上げるか、省エネルギー化を重視するかを用途に応じてユーザが選択することができる。
【図面の簡単な説明】
【図１】本実施の形態にかかる画像形成装置の断面構成図である。
【図２】実施の形態１にかかる画像形成装置の概略構成を説明するブロック図である。
【図３】実施の形態１にかかる立ち上げ時から動作が終了するまでのフローチャートである。
【図４】主電源オフ時の制御を説明するフローチャートである。
【図５】主電源オフ時にユーザの選択に基づいて制御を行う場合のフローチャートである。
【図６】実施の形態２にかかる画像形成装置の概略構成を説明するブロック図である。
【図７】実施の形態２にかかる立ち上げ時から補助電源の充電処理までのフローチャートである。
【図８】図７の補助電源の充電処理のサブルーチンを示すフローチャートである。
【図９】
主電源オフ時にユーザの選択に基づいて制御を行う場合のフローチャートである。
【符号の説明】
１０  画像形成装置
２１  主電源スイッチ
２２  主電源装置
２３  制御ボード
２４  第１リレー
２５  補助電源
２６  第２リレー
２７  ＡＣ制御部
２８  サーミスタ
２９  充電回路
３０  操作パネル
３１  監視装置
【図１】
2004287002.tif 000003
【図２】
2004287002.tif 000004
【図３】
2004287002.tif 000005
【図４】
2004287002.tif 000006
【図５】
2004287002.tif 000007
【図６】
2004287002.tif 000008
【図７】
2004287002.tif 000009
【図８】
2004287002.tif 000010
【図９】
2004287002.tif 000011